(57)【要約】【課題】簡単な構成で、片手操作しても反動で落下させることなく、鞄の中や落下時に誤って第１の筐体と第２の筐体とが開いてしまわないようにする。【解決手段】ヒンジ部６に、第１の筐体３と第２の筐体５とを開く方向に付勢すると共に、これら第１の筐体３と第２の筐体５とを閉じたときに付勢力を蓄えた状態でロック可能な開操作補助用付勢機構９と、所定量以上押し込まれると、開操作補助用付勢機構９のロックを解除するロック解除用ボタン１５とを設ける。第２の筐体５の左右側面に、いずれか一方のみを押し込んでも、ロック解除用ボタン１５を所定量押し込まず、同時に押し込むことでロック解除用ボタン１５を所定量以上押し込んでロックを解除し、第１の筐体３と第２の筐体５とを自動的に開く自動開きボタン２０，２１をそれぞれ配置する。【選択図】図１
2011010193.tif 000002
【特許請求の範囲】
【請求項１】
第１の筐体と、第２の筐体と、該第１の筐体と第２の筐体とを折り畳み開閉自在に連結するヒンジ部とを備えた折畳み式携帯端末において、
上記ヒンジ部は、
上記第１の筐体と第２の筐体とを開く方向に付勢すると共に、該第１の筐体と第２の筐体とを閉じたときに付勢力を蓄えた状態でロック可能な開操作補助用付勢機構と、
所定量以上押し込まれると、上記開操作補助用付勢機構のロックを解除するロック解除用ボタンとを備え、
上記第２の筐体の左右側面には、いずれか一方のみを押し込んでも、上記ロック解除用ボタンを所定量押し込まず、同時に押し込むことで上記ロック解除用ボタンを所定量以上押し込んでロックを解除し、上記第１の筐体と第２の筐体とを自動的に開く自動開きボタンがそれぞれ配置されている
ことを特徴とする折畳み式携帯端末。
【請求項２】
請求項１に記載の折畳み式携帯端末において、
上記第２の筐体の左右側面に設けた自動開きボタンの左右内側端部は、それぞれ左右内側へ延び、
一端が上記ロック解除用ボタンを押圧可能な範囲まで延び、他端側に上記左右いずれか一方の自動開きボタンの左右内側端部が回動可能に連結され、中間部に他方の自動開きボタンの左右内側端部が回動可能に連結されたリンク部材を備え、
上記左右の自動開きボタンのいずれか一方のみを押し込んでも、上記リンク部材は、上記ロック解除用ボタンを所定量押し込むことはなく、
上記左右の自動開きボタンの両方を押し込むと、上記リンク部材は、上記ロック解除用ボタンを所定量以上押し込むように構成されている
ことを特徴とする折畳み式携帯端末。
【請求項３】
請求項２に記載の折畳み式携帯端末において、
上記リンク部材の他端側には、上記ロック解除用ボタン側の自動開きボタンの左右内側端部が回動可能に連結され、中間部には、上記ロック解除用ボタンと反対側の自動開きボタンの左右内側端部が回動可能に連結されている
ことを特徴とする折畳み式携帯端末。
【請求項４】
請求項１乃至３のいずれか１つに記載の折畳み式携帯端末において、
上記左右の自動開きボタンの端部は、互いに圧縮コイルバネで付勢されている
ことを特徴とする折畳み式携帯端末。
【請求項５】
請求項１乃至４のいずれか１つに記載の折畳み式携帯端末において、
上記第１の筐体の表面には、表示部が設けられ、
上記第２の筐体の表面には、操作部が設けられている
ことを特徴とする折畳み式携帯端末。
【発明の詳細な説明】
【技術分野】
【０００１】
本発明は、折畳み式携帯端末に関し、特にその自動開閉構造に関する。
【背景技術】
【０００２】
従来より、折畳み式携帯電話機に代表される折畳み式携帯端末では、片手で下筐体を持ち、他方の手で上筐体を持ち上げてヒンジ部を中心に開くようになっており、両手を使って開くのが一般的であった。
【０００３】
しかし、両手を使って開くのが面倒な場合があり、片手だけでワンタッチで開き操作を行いたいというニーズが増えていた。
【０００４】
そこで、例えば特許文献１の電子機器のように、互いに開閉可能に連結される第１の部材と第２の部材からなり、第１の部材と第２の部材を互いに開閉可能に連結する連結手段として、第１の部材と第２の部材を所定の開成角度まで自動的に開く押釦付きのプッシュオープンタイプのヒンジと、このプッシュオープンタイプのヒンジと同軸に取り付けた所定の自動開成角度から強くフリクショントルクを発生させるフリクションタイプのヒンジとで構成し、ロック手段をいずれかのヒンジに設けたものが知られている。
【０００５】
また、特許文献２の折畳み式携帯端末では、第１の部材と第２の部材の閉成時には、インナーカムの係止突部でアウターカムのカム部の凸部を係止ロックしており、押釦に対し押圧操作を行うことにより、スライドキーでインナーカムを押して該インナーカムの係止突部によるアウターカムのカム部の凸部に対する係止を解きアウターカムのカム部とスライダーカムのカム部によってケース体に回転トルクを発生させるが、第１の部材と第２の部材が閉じたままであると、押釦に対する押圧力を解くことによってインナーカムが第２弾性手段の弾力によって元位置に復帰し再びその係止突部でアウターカムのカム部の凸部を係止ロックするようにしている。
【先行技術文献】
【特許文献】
【０００６】
【特許文献１】特開２００３−１６１３１２号公報
【特許文献２】特開２００４−１８３８２１号公報
【発明の概要】
【発明が解決しようとする課題】
【０００７】
上記特許文献１及び２の折畳み式携帯端末では、いずれも片手で本体を持ってワンタッチオープンするために親指又は人差し指をヒンジの側面から露出する一方のボタンに当ててプッシュする。このとき、ボタンを小さな力で押せることから、携帯電話機を軽く保持したまま第１筐体が開かれることが多く、バネなどによる第１筐体を開く方向に付勢する力が強ければ、第１筐体が開ききったときに反動が生じ、携帯電話機を落下してしまうおそれがあった。
【０００８】
また、上記特許文献１及び２では、ボタンが露出していることから、携帯電話機を閉じた状態で落下させてしまったときに、開き操作を行うボタンが誤って押されることがあり、意図せず携帯電話機が開いて表示部などに傷が付きやすいという問題もある。また、鞄の中で勝手に開き操作を行うボタンが押されて携帯電話機が開いてしまうこともある。
【０００９】
本発明は、かかる点に鑑みてなされたものであり、その目的とするところは、簡単な構成で、片手操作しても反動で落下させることなく、鞄の中での携帯時や落下時に誤って第１の筐体と第２の筐体とが開いてしまわないようにすることにある。
【課題を解決するための手段】
【００１０】
上記の目的を達成するために、この発明では、第２の筐体の両側面に設けたボタンを同時に押したときのみ第１の筐体と第２の筐体とを自動的に開くようにした。
【００１１】
具体的には、第１の発明では、第１の筐体と、第２の筐体と、該第１の筐体と第２の筐体とを折り畳み開閉自在に連結するヒンジ部とを備えた折畳み式携帯端末を前提とし、
上記ヒンジ部は、
上記第１の筐体と第２の筐体とを開く方向に付勢すると共に、該第１の筐体と第２の筐体とを閉じたときに付勢力を蓄えた状態でロック可能な開操作補助用付勢機構と、
所定量以上押し込まれると、上記開操作補助用付勢機構のロックを解除するロック解除用ボタンとを備え、
上記第２の筐体の左右側面には、いずれか一方のみを押し込んでも、上記ロック解除用ボタンを所定量押し込まず、同時に押し込むことで上記ロック解除用ボタンを所定量以上押し込んでロックを解除し、上記第１の筐体と第２の筐体とを自動的に開く自動開きボタンがそれぞれ配置されている。
【００１２】
上記の構成によると、第２の筐体の左右側面に設けた自動開きボタンの両方を同時に押し込まないと、ロック解除用ボタンを所定量以上押し込むことができないので、鞄の中に入れて持ち歩いているときに動いてしまったり、使用中に落下させたりして片方の自動開きボタンのみが押されても、第１の筐体と第２の筐体とが開かないので、表示部に傷が付いたり、不必要にバッテリーが消耗したりすることはない。そして、両方の自動開きボタンを２本の指でそれぞれ押すためには、第２の筐体でしっかり反力を取ることができるように第２の筐体を握っているので、開操作補助用付勢機構の付勢力が強くて第１の筐体が開ききったときに大きな反動が生じたとしても、折畳み式携帯端末を落とすことはない。
【００１３】
第２の発明では、第１の発明において、
上記第２の筐体の左右側面に設けた自動開きボタンの左右内側端部は、それぞれ左右内側へ延び、
一端が上記ロック解除用ボタンを押圧可能な範囲まで延び、他端側に上記左右いずれか一方の自動開きボタンの左右内側端部が回動可能に連結され、中間部に他方の自動開きボタンの左右内側端部が回動可能に連結されたリンク部材を備え、
上記左右の自動開きボタンのいずれか一方のみを押し込んでも、上記リンク部材は、上記ロック解除用ボタンを所定量押し込むことはなく、
上記左右の自動開きボタンの両方を押し込むと、上記リンク部材は、上記ロック解除用ボタンを所定量以上押し込むように構成されている。
【００１４】
上記の構成によると、リンク部材の一端をロック解除用ボタンの近傍に配置し、他端と中間部とを、左右の自動開きボタンの内側端部にそれぞれ連結するという極めて簡単且つ壊れにくい構成で、両方の自動開きボタンを押したときのみロック解除用ボタンを所定量以上押し込むことができる。
【００１５】
第３の発明では、第２の発明において、
上記リンク部材の他端側には、上記ロック解除用ボタン側の自動開きボタンの左右内側端部が回動可能に連結され、中間部には、上記ロック解除用ボタンと反対側の自動開きボタンの左右内側端部が回動可能に連結されている。
【００１６】
上記の構成によると、簡単な構成で、両方の自動開きボタンが押し込まれたときに、リンク部材の先端がロック解除葉ボタンの所定量を押し込むことができる。
【００１７】
第４の発明では、第１乃至第３のいずれか１つの発明において、
上記左右の自動開きボタンの端部は、互いに圧縮コイルバネで付勢されている。
【００１８】
上記の構成によると、この圧縮コイルバネの付勢力に抗して両方の自動開きボタンを押し込まないとロック解除用ボタンが作動しないので、圧縮コイルバネを設けるという簡単な構成で、落下等によってロック解除用ボタンが誤作動するのを防ぐことができる。
【００１９】
第５の発明では、第１乃至第４のいずれか１つの発明において、
上記第１の筐体の表面には、表示部が設けられ、
上記第２の筐体の表面には、操作部が設けられている。
【００２０】
上記の構成によると、待機時は傷が入りやすい表示部を内側にして第１の筐体を閉じておけば、誤って第１の筐体が開いて表示部に傷が付くことはなく、使用時には両方の自動開きボタンを同時に押し込むだけで開くので、使い勝手がよい。
【発明の効果】
【００２１】
以上説明したように、本発明によれば、第２の筐体の左右側面に、同時に押し込んだときのみロック解除用ボタンを所定量以上押し込んでロックを解除し、第１の筐体と第２の筐体とを自動的に開く自動開きボタンをそれぞれ配置したことにより、簡単な構成で、片手で操作しても反動で落下させることなく、鞄の中で動いたときや落下時等に誤って第１の筐体と第２の筐体とが開いてしまわないようにすることができる。
【図面の簡単な説明】
【００２２】
【図１】本発明の実施形態にかかる折畳み式携帯電話機が開いた状態でヒンジ部の内部が見えるようにした正面図である。
【図２】折畳み式携帯電話機が開いた状態を示す斜視図である。
【図３】折畳み式携帯電話機が閉じた状態を示す斜視図である。
【図４】折畳み式携帯電話機が閉じた状態における開閉機構を第１の筐体側から見た斜視図である。
【図５】折畳み式携帯電話機が閉じた状態における開閉機構を第２の筐体側から見た斜視図である。
【図６】閉じた状態にある折畳み式携帯電話機の分解斜視図である。
【図７】折畳み式携帯電話機が閉じた状態における開閉機構を第１の筐体側から見た拡大斜視図である。
【図８】折畳み式携帯電話機が閉じた状態における開閉機構を第２の筐体側から見た拡大斜視図である。
【図９】両方の自動開きボタンを押したときのヒンジ部内部が見えるようにした正面図である。
【図１０】自動開きボタンの動きを示す拡大正面図であり、（ａ）がボタンを押していない状態を示し、（ｂ）がボタンを押した状態を示す。
【図１１】リンク部材がロック解除用ボタンを押し込む様子を説明する図であり、（ａ）がリンク部材、ロック解除用ボタン及びその周辺を拡大して示す正面図であり、（ｂ）がリンク部材の軌跡を示す正面図である。
【発明を実施するための形態】
【００２３】
以下、本発明の実施形態を図面に基づいて説明する。
【００２４】
図１〜図３に本発明の実施形態にかかる折畳み式携帯端末としての折畳み式携帯電話機１を示す。図１では、見やすくするために第１の筐体３及び第２の筐体５の内部の主要な部分を見えるようにしている。この折畳み式携帯電話機１は、表面に表示部２を備えた第１の筐体３と、表面に操作部４を備えた第２の筐体５とを備えている。なお、操作部４の詳細は図示していないが、複数の操作ボタンを有するものでもタッチパネルでもよい。これら第１の筐体３と第２の筐体５とは、ヒンジ部６で折り畳み開閉自在に連結されている。第１の筐体３と第２の筐体５とは、共に略矩形板形状を有し、第１の筐体３が第２の筐体５に対して閉じられた状態（図３参照）で略直方体となって携帯が容易となっている。なお、本実施形態では、説明の都合上、図１に示すように、第１の筐体３を第２の筐体５に対して開いて第２の筐体５を手に持った状態で、第１の筐体３側を上側、第２の筐体５側を下側としている。
【００２５】
ヒンジ部６は、第１の筐体３のヒンジ部６側両角部（下側の左右角部）から水平方向へそれぞれ膨出する一対の円筒状の外側ボス部１０を備えている。外側ボス部１０は、例えば、第１の筐体３を構成する樹脂成形品を成形する際に同時に成形される。
【００２６】
また、ヒンジ部６は、内側ボス部１１を備え、この内側ボス部１１は、第２の筐体５のヒンジ部６側端部（上側端部）に該ヒンジ部６の軸方向（左右方向）中央表面から第２の筐体５の厚さ方向へ膨出するように形成されている。この内側ボス部１１は、一対の外側ボス部１０間に配置されている。
【００２７】
図１及び図４〜図６に示すように、ヒンジ部６は、折畳み式携帯電話機１の開閉操作を担う開閉機構７を備えている。開閉機構７の一部として、左側の外側ボス部１０と内側ボス部１１の左側には、左右に延びる水平ヒンジ軸８が収容されている。図７及び図８に拡大して示すように、この水平ヒンジ軸８内には、第１の筐体３と第２の筐体５とを開く方向に付勢すると共に、第１の筐体３と第２の筐体５とを閉じたときに付勢力を蓄えた状態でロック可能な公知の開操作補助用付勢機構９（詳細図示せず）が設けられている。この開操作補助用付勢機構９は、内部に弾性部材を備え、水平ヒンジ軸８の外軸８ａと内軸８ｂとは、それぞれ、外側ボス部１０と内側ボス部１１とに回転不能に連結され、相対的に所定の方向に回転されたとき、すなわち、第１の筐体３が第２の筐体５に対して閉じられたときに、この弾性部材が付勢力を蓄えるようになっている。そして、水平ヒンジ軸８の右側端部からは、開操作補助用付勢機構９のロックを解除するためのロック解除用ボタン１５が突出している。ロック解除用ボタン１５の可動範囲は、例えば、０≦Ｌ１≦１．１ｍｍとし、所定量（例えば、約０．５ｍｍ）以上押し込まれると、開操作補助用付勢機構９のロックを解除し、弾性部材が蓄えていた付勢力が開放され、外軸８ａと内軸８ｂとが互いに相対的に回転し、その結果として第１の筐体３が第２の筐体５に対して自動的に開くようになっている。ロック解除用ボタン１５の先端は、その押圧を容易にするために、例えば直方体状に形成されている。
【００２８】
そして、本発明の特徴として、第２の筐体５の左右側面には、自動開きボタン２０，２１がそれぞれ配置されている。図７等に示すように、これら自動開きボタン２０，２１の左右内側端部２０ａ，２１ａは、左右内側へ延びている。具体的には、左側自動開きボタン２０の先端は、中間部分から下側のみが右方へ延長されて左内側端部２０ａが形成され、右側自動開きボタン２１の先端は、中間部分から上側へ折り曲げられた後、左方へ延長されて右内側端部２１ａが形成されている。このため、左内側端部２０ａと右内側端部２１ａとは、上下方向にずれた位置に配置されている。そして、これら上下にずれた位置に配置された左内側端部２０ａと右内側端部２１ａとに長細い板状のリンク部材２２が連結されている。
【００２９】
このリンク部材２２の一端（上端）は、ロック解除用ボタン１５を押圧可能な範囲まで延び、円柱状のボタン押圧部２２ａが一体に形成されている。このボタン押圧部２２ａがロック解除用ボタン１５の先端の直方体部分に当接して押し込むようになっている。一方、他端（下端）側には、左側自動開きボタン２０の左内側端部２０ａが下側連結軸２２ｂを中心に回動可能に連結されている。そして、ボタン押圧部２２ａと、下側連結軸２２ｂとの間の中間部には、右側自動開きボタン２１の右内側端部２１ａが上側連結軸２２ｃを中心に回動可能に連結されている。詳細は後述するが、このように構成することで、左右の自動開きボタン２０，２１のいずれか一方のみを押し込んでも、ロック解除用ボタン１５を所定量押し込まず、同時に押し込むことでロック解除用ボタン１５を所定量以上押し込んでロックを解除し、第１の筐体３と第２の筐体５とを自動的に開くように構成されている。
【００３０】
また、左右の自動開きボタン２０，２１の左右内側端部２０ａ，２１ａは、互いに押し戻す方向に圧縮コイルバネ２３で付勢されている。具体的には、左内側端部２０ａの上側は、裏面側に折り曲げられて左側バネ当接部２０ｂが形成され、右内側端部２１ａの先端も、裏面側に折り曲げられて右側バネ当接部２１ｂが形成されている。圧縮コイルバネ２３は、これら左側バネ当接部２０ｂと、右側バネ当接部２１ｂとの間に配置されている。
【００３１】
−折畳み式携帯電話機の開閉手順−
次に、本実施形態にかかる折畳み式携帯電話機１の開閉手順について説明する。
【００３２】
まず、リンク部材２２がロック解除用ボタン１５を押圧する原理について図面を用いて例示的に説明する。
【００３３】
本実施形態の折畳み式携帯電話機１は、図９に示すように、左右の自動開きボタン２０，２１の両方を同時に押圧しないと、第１の筐体３が第２の筐体５に対して開かないようになっている。
【００３４】
図１０（ａ）に示すように、左右の自動開きボタン２０，２１は、第２の筐体５の左右側面から一部のみ飛び出し、図１０（ｂ）に示すように、指で押圧すると、第２の筐体５の左右側面よりも奥側に約１ｍｍ引っ込む。つまり、指などの細いものでなければ、左右の自動開きボタン２０，２１は、奥まで押し込めないようになっている。
【００３５】
図１１に拡大して位置関係を示すように、左右の自動開きボタン２０，２１のいずれも押圧しないときには、図１１（ｂ）に示すように、リンク部材２２は、上下に真っ直ぐに立った状態にある。このとき、ボタン押圧部２２ａとロック解除用ボタンとの隙間Ｌ２は、約１．７ｍｍとする。上述したように、ロック解除用ボタン１５の可動範囲Ｌ１は、０≦Ｌ１≦１．１ｍｍであり、０．５ｍｍ以上押し込まれたときに開操作補助用付勢機構９のロックを解除する。つまり、リンク部材２２のボタン押圧部２２ａは左側へ０．５ｍｍと、Ｌ２＝１．７ｍｍとを合わせた２．２ｍｍ以上移動するように回動する必要がある。
【００３６】
まず、図１１（ｂ）に破線で示すように、左側自動開きボタン２０のみを右方向へｘ１＝１ｍｍだけ押し込むと、右側自動開きボタン２１は押されていないので、上側連結軸２２ｃの位置は変わらず、下側連結軸２２ｂが押し込まれた分だけボタン押圧部２２ａが上側連結軸２２ｃを中心に左側へｘ３＝約０．９ｍｍだけ回動する。ロック解除用ボタン１５は、２．２ｍｍ以上押されないと、開操作補助用付勢機構９のロックを解除しないので、第１の筐体３は、第２の筐体５に対して開かない。
【００３７】
次いで、右自動開きボタン２１のみをｘ２＝１ｍｍだけ押し込むと、図１１（ｂ）に一点鎖線で示すように、左側自動開きボタン２０は押されていないので、下側連結軸２２ｂの位置は変わらず、上側連結軸２２ｃが押し込まれた分だけボタン押圧部２２ａが下側連結軸２２ｂを中心に左側へｘ４＝約１．９ｍｍ移動するように回動する。ロック解除用ボタン１５は、２．２ｍｍ以上押されないと、開操作補助用付勢機構９のロックを解除しないので、第１の筐体３は、第２の筐体５に対して開かない。
【００３８】
そして、左右の自動開きボタン２０，２１を同時にｘ１＝ｘ２＝１ｍｍ押し込むと、図１１（ｂ）に二点鎖線で示すように、下側連結軸２２ｂが右側へ移動すると共に、上側連結軸２２ｃが左側へ移動する。すると、ボタン押圧部２２ａは、左側へ大きくｘ５＝約２．８ｍｍ移動するように回動する。ロック解除用ボタン１５は、２．２ｍｍ以上押されるので、開操作補助用付勢機構９のロックを解除し、第１の筐体３が第２の筐体５に対して開く。
【００３９】
このような原理により、図３及び図４に示すように、第１の筐体３を第２の筐体５に対して閉じたコンパクトな状態で鞄内等に携帯しているときには、片方の自動開きボタン２０又は２１が押されることはあっても、両方の自動開きボタン２０，２１が押されることはまずないので、意図せず第１の筐体３が第２の筐体５に対して開くことはない。また、閉じた状態で落下させても、片方の自動開きボタン２０又は２１が押されることはあっても、両方の自動開きボタン２０，２１が押されることはまずないので、意図せず第１の筐体３が第２の筐体５に対して開くことはない。また、圧縮コイルバネ２３の付勢力に抗して両方の自動開きボタン２０，２１を押し込まないとロック解除用ボタン１５が作動しないので、落下等によってロック解除用ボタン１５が誤って押されるのをさらに効果的に防いでいる。このため、表示部２に傷が付いたり、不必要にバッテリーが消耗したりすることはない。
【００４０】
そして、両方の自動開きボタン２０，２１を２本の指でそれぞれ押すためには、第２の筐体５でしっかり反力を取るように第２の筐体５を握ることになるので、開操作補助用付勢機構９の付勢力が強くて第１の筐体３が開ききったときに大きな反動が生じたとしても、折畳み式携帯電話機１を落とすことはない。
【００４１】
なお、第１の筐体３と第２の筐体５とを閉じるときには、手で第１の筐体３を押さえながら、開操作補助用付勢機構９の付勢力に抗して他方の手等で支えた第２の筐体５に向かって第１の筐体３を回動させて閉じる。すると、開操作補助用付勢機構９に再び第１の筐体３を第２の筐体５に対して開こうとする付勢力が蓄えられる。
【００４２】
このように、待機時は傷が入りやすい表示部２を内側にして第１の筐体３を閉じておけば、誤って第１の筐体３が開いて表示部２に傷が付くことはなく、使用時には両方の自動開きボタン２０，２１を同時に押すだけで開くので、使い勝手がよい。
【００４３】
したがって、本実施形態にかかる折畳み式携帯電話機１によると、第２の筐体５の左右側面に、同時に押し込んだときのみロック解除用ボタン１５を所定量以上押し込んでロックを解除し、第１の筐体３と第２の筐体５とを自動的に開く自動開きボタン２０，２１をそれぞれ配置したことにより、簡単な構成で、片手で操作しても反動で落下させることなく、鞄の中で動いたときや落下時等に誤って第１の筐体３と第２の筐体５とが開いてしまわないようにすることができる。
【００４４】
（その他の実施形態）
本発明は、上記実施形態について、以下のような構成としてもよい。
【００４５】
すなわち、上記実施形態では、水平ヒンジ軸８を左側に配置したが、右側に配置してもよい。この場合には、開閉機構７を含めたヒンジ部６全体を左右逆に構成すればよい。
【００４６】
また、上記実施形態では、折畳み式携帯端末は、折畳み式携帯電話機としたが、折畳み式のＰＨＳ、ＰＤＡ、ＰＣ、モバイルツール、電子辞書、電卓、ゲーム機等であってもよい。
【００４７】
なお、以上の実施形態は、本質的に好ましい例示であって、本発明、その適用物や用途の範囲を制限することを意図するものではない。
【符号の説明】
【００４８】
１      折畳み式携帯電話機（折畳み式携帯端末）
２      表示部
３      第１の筐体
４      操作部
５      第２の筐体
６      ヒンジ部
９      開操作補助用付勢機構
１５      ロック解除用ボタン
２０，２１      自動開きボタン
２０ａ，２１ａ  左右内側端部
２２      リンク部材
２２ａ    ボタン押圧部（一端）
２２ｂ    下側連結軸（他端）
２２ｃ    上側連結軸（中間部）
２３      圧縮コイルバネ
【図１】
2011010193.tif 000003
【図２】
2011010193.tif 000004
【図３】
2011010193.tif 000005
【図４】
2011010193.tif 000006
【図５】
2011010193.tif 000007
【図６】
2011010193.tif 000008
【図７】
2011010193.tif 000009
【図８】
2011010193.tif 000010
【図９】
2011010193.tif 000011
【図１０】
2011010193.tif 000012
【図１１】
2011010193.tif 000013